(57)【要約】  【課題】低電圧で高速でのインク液滴の吐出が可能な静電式インクジェットの液体吐出ヘッドを提供する。  【解決手段】吐出口が形成された吐出基板と、各吐出口に対応する吐出電極と、吐出口を通過して吐出基板から突出する溶液ガイドとを有し、かつ、溶液ガイドは、少なくとも先端部が樹脂材料に高誘電率材料粒子を分散してなる複合材料で形成されたものであることにより、前記課題を解決する。【選択図】図１
2006001118.tif 000002
【特許請求の範囲】
【請求項１】
帯電粒子が分散された溶液に静電力を作用させて、前記溶液の液滴を吐出させる液体吐出ヘッドであって、
前記液滴を吐出する複数の貫通孔が形成された絶縁性の吐出基板と、
前記貫通孔の個々に対応して配置される、前記溶液に静電力を作用させる吐出電極と、
前記貫通孔を通過して前記吐出基板の液滴吐出側に突出する溶液ガイドとを有し、
かつ、前記溶液ガイドは、少なくとも先端部が樹脂材料に高誘電率材料粒子を分散してなる複合材料で形成されたものであることを特徴とする液体吐出ヘッド。
【請求項２】
前記溶液ガイドが、先端に向かって次第に細くなる形状を有する請求項１に記載の液体吐出ヘッド。
【請求項３】
前記溶液ガイドは、少なくとも前記吐出電極よりも先端側が前記複合材料で形成されたものである請求項１または２に記載の液体吐出ヘッド。
【請求項４】
前記樹脂材料が、シリコン樹脂、エポキシ樹脂、ウレタン樹脂、ポリイミド樹脂、およびフェノール樹脂のうちのいずれか１種であり、前記高誘電率材料が、ＰＺＴ、ＰＭＮ−ＰＴ、チタン酸バリウム、およびチタン酸ストロンチウムのうちのいずれか１種である請求項１〜３のいずれかに記載の液体吐出ヘッド。
【請求項５】
請求項１〜４の何れかに記載の液体吐出ヘッドに用いられる溶液ガイドの製造方法であって、
前記溶液ガイドの形状に応じた複数の凹部を有する型に未硬化の前記複合材料を充填して、複合材料の硬化および余分な複合材料の除去を行い、
前記複合材料の樹脂材料と同材料からなる支持基板に、硬化した複合材料の溶液ガイド基端部を固定した後、前記型を取り除くことを特徴とする溶液ガイドの製造方法。
【発明の詳細な説明】
【技術分野】
【０００１】
本発明は、帯電粒子が分散された溶液に静電力を作用させることで液滴を吐出させる、静電式インクジェットの液体吐出ヘッド、および、この液体吐出ヘッドの溶液ガイドを製造する製造方法に関するものである。
【背景技術】
【０００２】
インク液滴を吐出することによって画像記録（描画）を行うインクジェットの液体吐出ヘッド（以下、吐出ヘッドとする）としては、インクを加熱してインクに発生した気泡の膨張力でインク液滴を吐出させる、いわゆるサーマルインクジェットの吐出ヘッドや、圧電素子によりインクに圧力を与えてインク液滴を吐出させる、いわゆるピエゾタイプのインクジェットの吐出ヘッドが知られている。
しかしながら、サーマルジェットヘッドでは、インクを部分的に３００℃以上に加熱するため、インクの材料が限定されるという問題があり、他方、ピエゾタイプのインクジェットでは、構造が複雑でコストが高いといった問題がある。
【０００３】
これらの問題を解決するインクジェットとして、帯電した色材粒子（微粒子）を含むインクを用い、インクに静電力を作用させ、この静電力でインク液滴を吐出する、静電式インクジェットが知られている。
静電式インクジェットの吐出ヘッドは、インク液滴を吐出するための多数の貫通孔（吐出口）が形成された絶縁性の吐出基板と、吐出口の個々に対応する吐出電極とを有し、吐出電極に所定の電圧を印加することにより、インクに静電力を作用させてインク液滴を吐出するものであり、画像データに応じて吐出電極への電圧印加ｏｎ／ｏｆｆを制御（吐出電極を変調駆動）することによりインク液滴を吐出して、画像データに対応する画像を記録媒体上に記録する。
【０００４】
このような静電式インクジェットの吐出ヘッドとして、例えば、特許文献１には、図４に概念的に示すように、支持基板２０２と、インクガイド２０４と、吐出基板２０６と、吐出電極２０８と、バイアス電圧源２１２と、信号電圧源２１４とを備える吐出ヘッド２００が開示されている。
【０００５】
吐出ヘッド２００において、支持基板２０２と吐出基板２０６は、共に絶縁性の基板であり、所定間隔だけ離間して配置される。
吐出基板２０６には、インク液滴の吐出口２１８となる貫通孔（基板貫通孔）が多数形成され、前記支持基板２０２と吐出基板２０６との間隙が、この吐出口２１８にインクＱを供給するインク流路２１６となる。さらに、吐出基板２０６の上面（インク液滴Ｒの吐出側表面）には、吐出口２１８を囲んでリング状の吐出電極２０８が設けられる。吐出電極２０８には、バイアス電源２１２およびパルス電源である駆動電源２１４が接続され、かつ、両者を介して接地されている。
他方、支持基板２０２には、各吐出口２１８に対応して、吐出口２１８を挿通して吐出基板２０６から突出するインクガイド２０４が設けられる。インクガイド２０４の先端部２０４ａは、所定幅だけ切り欠かれて、先端部２０４ａにインクＱを供給するためのインク案内溝２２０が形成される。
【０００６】
このような吐出ヘッド２００を用いる参考文献１に開示される（インクジェット）記録装置においては、画像記録時には、記録媒体Ｐは対向電極２１０に支持される。
対向電極２１０は、吐出電極２０８の対向電極としての機能に加え、画像記録時に記録媒体Ｐを支持するプラテンとしても機能するものであり、吐出基板２０６の上面に対面するようにして、インクガイド２０４の先端部２０４ａと所定間隔離間して配置される。
【０００７】
吐出ヘッド２００において、画像記録時には、図示しないインクの循環機構により、帯電した色材粒子を含有するインクＱが、インク流路２１６内を、例えば図中右側から左側へ向かって流される。なお、インクＱの色材粒子は、吐出電極２０８に印加される電圧と同極性に帯電している。
また、記録媒体Ｐは、対向電極２１０に支持されて、吐出基板２０６と対面している。
さらに、吐出電極２０８には、バイアス電圧として、バイアス電源２１２から、例えば１．５ｋＶの直流電圧が、常時、印加されている。
【０００８】
このインクＱの循環およびバイアス電圧の印加により、インクＱの表面張力、毛管現象、バイアス電圧による静電力などの作用で、インクＱが、インクガイド２０４のインク案内溝２２０から先端部分２０４ａに供給され、吐出口２１８においてインクＱのメニスカスが形成され、かつ、色材粒子が吐出口２１８近傍に移動（静電力による泳動）して、インクＱが吐出部２１８や先端部分２０４ａにおいて濃縮された状態となっている。
この状態において、駆動電源２１４が吐出電極２０８に画像データ（駆動信号）に応じた、例えば５００Ｖのパルス状の駆動電圧を吐出電極２０８に印加すると、バイアス電圧に駆動電圧が重畳されて、インクＱの先端部分２０４ａへの供給および濃縮が促進され、インクＱおよび色材粒子の先端部２０４ａへの移動力および対向電極１４からの吸引力が、インクＱの表面張力を超えた時点で、色材粒子が濃縮されたインクＱの液滴（インク液滴Ｒ）が吐出される。
吐出されたインク液滴Ｒは、吐出された際の勢い、および、対向電極２１０による引力によって飛翔し、記録媒体Ｐに着弾して画像を形成する。
【０００９】
このように、静電式インクジェットの吐出ヘッドでは、インクＱの表面張力とインクＱにかかる静電力とのバランスを制御することによって、インク液滴Ｒを吐出する。
従って、低い駆動電圧で、かつ、高速（高い記録（吐出）周波数）で安定してインク液滴の吐出を行うためには、各吐出口毎に設けられるインクガイドは重要であり、インクガイドには、好適にインクを案内して吐出口におけるインクのメニスカスを適正に安定させること（以下、メニスカス安定性とする）や、良好な静電力の集中力（電界集中力）等が要求される。
【００１０】
このような特性を満たすために、静電式インクジェットの吐出ヘッドでは、インクガイドに様々な工夫が成されている。
例えば、前記参考文献１に開示される吐出ヘッドであれば、前述のように、インクガイド２０４の先端部２０４ａを所定幅だけ切り欠いてインク案内溝２２０を形成することにより、インクガイド２０４の先端部２０４ａへのインクＱの供給性を、より良好なものとしている。
また、特許文献２には、インクガイド（突起板）の表面に第２電極を形成することにより、さらに、特許文献３には、インクガイド（コーン状突起）の表面を吐出電極で被覆することにより、共に、インクガイドによる電界集中力を向上した静電式インクジェットの吐出ヘッドが、開示されている。
【００１１】
【特許文献１】特開平１０−２３０６０８号公報
【特許文献２】特開平１０−７６６６４号公報
【特許文献３】特開平８−１４９２５３号公報
【発明の開示】
【発明が解決しようとする課題】
【００１２】
このように、良好なメニスカス安定性や電界集中力を有するインクガイドを得るためには、インクガイドは、良好な成形性で確実にインクを案内できるように高精度に成形され、かつ、自身に電界を集中できるように高い誘電率を有するのが好ましい。
【００１３】
通常は、良好な誘電率を有するインクガイドを得るために、例えばＺｒＯ2やＡｌ2Ｏ3などの誘電率が高いセラミックス材料でインクガイドが成形されている。しかしながら、セラミックスは成形性や加工性が悪く、しかも、硬く脆い。さらに、近年では、記録の高解像度化に対応して、インクガイドにも、より微細な成形／加工が要求される。そのため、セラミックス材料では、例えば、参考文献１に示されるインク案内溝２２０を有するようなインクガイドを高精度に成形することは困難である。加えて、セラミックスでは、成形に１０００℃程度の高温が必要であるという難点も有る。
【００１４】
他方、各種の樹脂材料でインクガイドを形成することにより、良好な成形性や加工性を確保して、微細かつ高精度に成形されたインクの案内性に優れたインクガイドを実現できる。しかしながら、樹脂製のインクガイドは誘電率が低く、電界集中力に優れたインクガイドを得ることは困難である。
【００１５】
また、引用文献２や引用文献３に開示されるように、インクガイドの表面に電極を形成することで、電界集中力を向上する方法もあるが、この方法では、吐出ヘッドの生産性が悪くなる。しかも、インクガイドの表面に電極を形成すると、隣接する吐出口（チャンネル）間における電界干渉が生じ易いため、吐出口の高密度化や、２次元ヘッド（吐出口を２次元的に配列してなるヘッド）の形成が困難であるという問題点もある。
【００１６】
本発明の目的は、前記従来技術の問題点を解決することにあり、高い誘電率を有し、かつ、成形性も高い材料からなる、メニスカス安定性および電界集中力に優れた溶液ガイド（インクガイド）を有することにより、低電圧駆動で、高速で安定してインク液滴を吐出／飛翔することができる静電式インクジェットの液体吐出ヘッド、および、この液体吐出ヘッドに用いられる溶液ガイドの製造方法を提供することにある。
【課題を解決するための手段】
【００１７】
前記目的を達成するために、本発明の液体吐出ヘッドは、帯電粒子が分散された溶液に静電力を作用させて、前記溶液の液滴を吐出させる液体吐出ヘッドであって、前記液滴を吐出する複数の貫通孔が形成された絶縁性の吐出基板と、前記貫通孔の個々に対応して配置される、前記溶液に静電力を作用させる吐出電極と、前記貫通孔を通過して前記吐出基板の液滴吐出側に突出する溶液ガイドとを有し、かつ、前記溶液ガイドは、少なくとも先端部が樹脂材料に高誘電率材料粒子を分散してなる複合材料で形成されたものであることを特徴とする液体吐出ヘッドを提供する。
【００１８】
このような本発明の液体吐出ヘッドにおいて、記溶液ガイドが、先端に向かって次第に細くなる形状を有するのが好ましく、また、前記溶液ガイドは、少なくとも前記吐出電極よりも先端側が前記複合材料で形成されたものであるのが好ましく、さらに、前記樹脂材料が、シリコン樹脂、エポキシ樹脂、ウレタン樹脂、ポリイミド樹脂、およびフェノール樹脂のうちのいずれか１種であり、前記高誘電率材料が、ＰＺＴ、ＰＭＮ−ＰＴ、チタン酸バリウム、およびチタン酸ストロンチウムのうちのいずれか１種であるのが好ましい。
【００１９】
また、本発明の製造方法は、前記本発明の液体吐出ヘッドに用いられる溶液ガイドの製造方法であって、前記溶液ガイドの形状に応じた複数の凹部を有する型に未硬化の前記複合材料を充填して、複合材料の硬化および余分な複合材料の除去を行い、前記複合材料の樹脂材料と同材料からなる支持基板に、硬化した複合材料の溶液ガイド基端部を固定した後、前記型を取り除くことを特徴とする溶液ガイドの製造方法を提供する。
【発明の効果】
【００２０】
上記構成を有する本発明によれば、微細であっても高精度に加工され、しかも高い誘電率を有することにより、好適にインクを案内して吐出口におけるインクのメニスカスを適正に安定させることができ、かつ、電界集中力に優れた溶液ガイド（インクガイド）を有する、静電式インクジェットの液体吐出ヘッドを実現できる。
従って、本発明の液体吐出ヘッドによれば、静電式のインクジェットにおいて、低電圧駆動で、高速（高い記録（液滴吐出）周波数）で安定したインク液滴を吐出／飛翔することができる。
【発明を実施するための最良の形態】
【００２１】
以下、本発明の液体吐出ヘッド、および、この液体吐出ヘッドに用いられる溶液ガイドの製造方法について、添付の図面に示される好適実施例を基に詳細に説明する。
【００２２】
図１に、本発明の静電式インクジェットの液体吐出ヘッドの一例を利用するインクジェット記録装置の一例の概念図を示す。
【００２３】
図１に示すインクジェット記録装置１０（以下、記録装置１０とする）は、静電式のインクジェットによってインク液滴Ｒを吐出して、記録媒体Ｐに画像記録（描画）を行うものであり、基本的に、本発明の液体吐出ヘッド１２（以下、吐出ヘッド１２とする）と、記録媒体Ｐの保持手段１４と、インク循環系１６と、電圧印加手段１８とを有して構成される。
【００２４】
図示例の記録装置１０において、吐出ヘッド１２は、一例として、記録媒体Ｐの一辺の全域に対応するインク液滴Ｒの吐出口２４の列（以下、ノズル列とする）を有する、いわゆるラインヘッドである。
記録装置１０においては、記録媒体Ｐを保持手段１４で保持して、記録媒体Ｐを吐出ヘッド１２と対面して所定の記録位置に位置した状態で、保持手段１４を吐出ヘッド１２のノズル列と直交する方向に移動（走査搬送）することにより、ノズル列によって記録媒体Ｐの全面を二次元的に走査する。この走査に同期して、吐出ヘッド１２の各吐出口２４から、記録画像に応じて変調してインク液滴Ｒを吐出することにより、記録媒体Ｐにオンデマンドで画像を記録する。
また、画像記録時には、インク循環系１６によって、吐出ヘッド１２（後述するインク流路３２）を含む所定の循環経路でインクＱを循環することにより、各吐出口２４にインクＱを供給する。
【００２５】
吐出ヘッド１２は、静電力によってインクＱ（インク液滴Ｒ）を吐出する静電式インクジェットの液体吐出ヘッドであって、図１および図２に示すように、基本的に、吐出基板１９と、支持基板２０と、本発明の特徴的な部位であるインクガイド２２とを有して構成される。
【００２６】
吐出基板１９は、Ａｌ2Ｏ3やＺｒＯ2などのセラミックス材料やポリイミドなどの絶縁性材料からなる基板で、吐出基板１９を貫通して、インクＱのインク液滴Ｒを吐出するための吐出口２４が、多数、穿孔される。
吐出ヘッド１２は、図２の概略図に示すように、より高解像度で高速な画像記録が可能な好適例として、格子状に二次元的に配列された吐出口２４を有する。
【００２７】
なお、本発明の液体吐出ヘッドは、図示例のように格子状に吐出口２４を有するものに限定はされず、例えば、隣接するノズル列を互いに半ピッチ分ずらして、千鳥格子状に吐出口を配列したものであってもよい。あるいは、二次元的に吐出口を配列した構成ではなく、１列のノズル列のみを有するものであってもよい。
また、本発明は、図示例のようなラインヘッドに限定はされず、記録媒体Ｐをノズル列の長さに対応する所定長ずつ断続的に搬送しつつ、この断続的な搬送に同期して、ノズル列と直交する方向に液体吐出ヘッドを移動して描画を行う、いわゆるシャトルタイプの液体吐出ヘッドであってもよい。
さらに、本発明の液体吐出ヘッドは、モノクロの画像記録に対応する１種のインクのみを吐出する吐出ヘッドであってもよく、カラー画像記録に対応する複数種のインクを吐出する液体吐出ヘッドであってもよい。
【００２８】
吐出基板１９の上面（液滴吐出側＝記録媒体Ｐ側の面  以下、こちら方向を上、逆方向を下と称する）の吐出口２４以外の領域は、好ましい態様として、シールド電極２６によって全面的に被覆されている。
シールド電極２６は、導電性の金属板などで形成される全吐出口２４に共通のシート状電極で、所定電位に保持され（接地による０Ｖを含む）ている。このようなシールド電極２６を有することにより、互いに隣接する吐出口２４（吐出部）の電気力線を遮蔽して、吐出部間における電界干渉を防止して、インク液滴Ｒの吐出を安定できる。
また、必要に応じて、各シールド電極２６の表面を撥インク処理してもよい。
【００２９】
シールド電極２６の上面には、好ましい態様として、立体障壁２８が配置される。
立体障壁２８は、各吐出口２４を個々に囲んで分離することにより、吐出口２４同士でのインクＱの混合の防止、すなわち各吐出口２４（吐出部）毎のインクＱのメニスカスの確実な分離を図るためのものである。
図示例においては、図２に示すように、各吐出口２４を分離するように格子状に壁で立体障壁２８が形成されている。しかしながら、本発明は、これに限定はされず、個々の吐出口２４を分離することができれば、例えば、各吐出口２４を個々に囲む円筒状の立体障壁等であってもよい。
また、立体障壁２８の壁面をへのインクの這い上がりを確実に防止し、吐出口２４同士を確実に防止するために、例えば撥インク処理等により、立体障壁２８の表面を撥インク性とするのが好ましい。なお、シールド電極２６や立体障壁２８の撥インク処理は、それぞれの形成材料やインクＱの分散媒等に応じた公知の方法で行えばよい。
【００３０】
吐出基板１９の下面には、各吐出口２４に対応して、吐出電極３０が設けられる。
図示例において、吐出電極３０は、吐出口２４を囲むリング状の電極であり、電圧印加手段１８に接続されている。
なお、吐出電極３０は、図示例のようなリング状に限定はされず、吐出口２４を囲む矩形であってもよく、あるいは、吐出口２４の全域を囲むものにも限定はされず、例えば、略Ｃ字状等の吐出電極も利用可能である。
【００３１】
吐出電極３０には、電圧印加手段１８が接続される。電圧印加手段１８は、駆動電源５０とバイアス電源５２とが直列に接続されたもので、インクＱの色材粒子の帯電電位と同極側（例えば正極）が吐出電極３０に接続されて、他極側は設置されている。
駆動電源５０は、例えばパルス電源であって、記録画像（画像データ＝吐出信号）に応じて変調したパルス状の駆動電圧を吐出電極３０に供給する。バイアス電源５２は、画像記録中に、所定のバイアス電圧を、常時、吐出電極３０に印加する。このようなバイアス電源５２（バイアス電圧の印加）を有することにより、駆動電圧の低減を図ることができ、消費電圧の低減や駆動電源の低コスト化を図ることができる。
【００３２】
支持基板２０も、ガラス等の絶縁性の材料で形成される基板である。
吐出基板１９と支持基板２０とは、所定の間隔だけ離間して配置され、その間隙がインクＱを各吐出口２４に供給するインク流路３２となる。
インク流路３２は、後述するインク循環系１６に接続されており、インク循環系１６が所定の経路でインクＱを循環することにより、インク流路３２にインクＱが流れ（図示例では、例えば右から左）、各吐出口２４にインクが供給される。
【００３３】
支持基板２０の上面には、インクガイド２２が設けられる。
インクガイド２２は、インク流路３２から吐出口２４に供給されたインクＱを案内して、メニスカスの形状や大きさを調整してメニスカスを安定させ、かつ、自身に電界（静電力）を集中させてメニスカスに電界を集中させることにより、インク液滴Ｒを吐出し易くするためのもので、吐出口２４を貫通して吐出基板１９の表面から記録媒体Ｐ（保持手段１４）側に突出するように、各吐出口２４に対応して配置される。
互いに対応する吐出口２４、吐出電極３０、およびインクガイド２２によって、１ドットの液滴吐出に対応する１つの吐出部が形成される。
【００３４】
インクガイド２２は、本発明の特徴的な部位であり、樹脂材料に高誘電率材料の微粒子を分散してなる複合材料で形成される。
【００３５】
前述のように、インクガイド２２には、好適にインクＱを案内して吐出口２４におけるインクＱのメニスカスを適正に安定させることができ（メニスカス安定性に優れ）、かつ、好適に静電力を集中できること（良好な電界集中力）が要求される。このような特性を満たすためには、インクガイド２２が、微細であってもインクを確実かつ良好に案内できる形状に高精度に成形することができ、かつ、自身に良好に電界を集中できる充分な誘電率を有することが重要である。
【００３６】
現状では、良好な誘電率を得るために、セラミック材料でインクガイドが形成されている。しかしながら、セラミックスは加工性や成形性が悪く、しかも硬く脆いため、高精度な成形を行って、良好なメニスカス安定性を有するインクガイドを得ることが難しい。他方、樹脂材料を用いてインクガイドを成形することにより、高精度な成形を行って、良好なメニスカス安定性を有するインクガイドを得ることはできるが、樹脂製のインクガイドは誘電率が極めて低いため、良好な電界週通力を有するインクガイドが得られない。
また、インクガイドを樹脂で成形し、その表面に電極（吐出電極もしくは補助電極）を形成することにより、成形精度と電界集中力とを両立することも考えられる。しかしながら、この方法では、インクガイドの生産性すなわち吐出ヘッドの生産性が悪くなり、また、吐出部間における電界干渉を起こし易いため、吐出部の高密度化や図示例のような二次元的な吐出部の配列が困難である。
【００３７】
このような問題点を解決するために、本発明の吐出ヘッド１２は、樹脂材料に高誘電率材料の微粒子を分散してなる複合材料（コンポジットレジン）からなるインクガイド２２を有する。
インクガイドの成形に用いられているＺｒＯ2（ジルコニア）やＡｌ2Ｏ3（アルミナ）等のセラミック材料の誘電率は２０程度である。また、エポキシ樹脂の誘電率は４程度である。これに対し、例えば、エポキシ樹脂に、ＰＭＮ−ＰＴ（誘電率１７８００）の微粒子（０．８μｍ）を４０％（体積百分率）分散してなる複合材料は、誘電率が３０程度と、セラミック材料と同等以上の誘電率を有する（日本接着学会誌  Vol.39 No.2(2003)参照）。
【００３８】
従って、このような複合材料からなるインクガイド２２は、樹脂材料を主成分（マトリクス）とすることによる微細な成形性および加工性と、高誘電率とを両立させた、メニスカス安定性と電界集中力に優れたものである。このようなインクガイド２２を有する本発明の吐出ヘッド１２によれば、メニスカスを安定して適正な状態とでき、しかも、インクガイドに好適に電界（静電力）を集中でききるので、低電圧駆動で、かつ、高速（高い記録（液滴吐出）周波数）で安定したインク液滴を吐出／飛翔することができる。
また、インクガイド２２が電極を有さないので、高解像度記録に対応して高密度に吐出部を配列することができ、さらに、高解像度化や多チャンネル化、図示例のような二次元的な吐出部の配列も容易に行うことができる。
【００３９】
本発明の吐出ヘッド１２において、インクガイド２２となる複合材料には、特に限定はなく、インクＱに対する充分な耐性を有する樹脂材料に、高誘電率材料を分散してなる、各種の複合材料が利用可能である。
例えば、シリコン樹脂、生ゴム、エポキシ樹脂、ウレタン樹脂、ポリイミド樹脂、フェノール樹脂等の樹脂材料に、ＰＺＴ（ジルコン酸チタン酸鉛：Pb(Zr,Ti)O3）、ＰＭＮ−ＰＴ（マグネシウムニオベイト鉛−チタネイト鉛：Pb(Mg1/3Nb2/3)O3-PbTiO3）、チタン酸バリウム(BaTiO3)、チタン酸ストロンチウム(SrTiO3)等の高誘電率材料の微粒子を分散してなる複合材料が例示される。好ましくは、誘電率が１００以上の高誘電率材料が用いられる。
【００４０】
より具体的には、エポキシ樹脂にＰＭＮ−ＰＴの微粒子を分散してなる複合材料、エポキシ樹脂にＰＺＴの微粒子を分散してなる複合材料、ウレタン樹脂にＰＭＮ−ＰＴの微粒子を分散してなる複合材料等が例示される。
【００４１】
樹脂材料と高誘電率材料との複合材料において、誘電率や成形性等は、高誘電率材料の粒子サイズ、粒子形状、充填密度（複合材料における高誘電率材料の含有量）、高誘電率材料の粒子−粒子相互間作用等に依存し、これらの組み合わせによって、複合材料の特性は変動する。
【００４２】
従って、インクガイド２２を形成する複合材料の樹脂材料と高誘電率材料との量比には、特に限定はなく、インクガイド２２の成形性や強度等、高誘電率材料の誘電率等に応じて、セラミックス材料と同等以上の２０以上の誘電率を発現できる量比を、適宜、決定すればよい。
ここで、高誘電率材料の量比が増えるほど、誘電率の点では有利であるものの、成形性や強度の点では不利となる。これらのバランスを考慮すると、複合材料における樹脂材料と高誘電率材料とは、重量比で１０〜８０％とするのが好ましい。
【００４３】
また、複合材料における高誘電率材料の粒子径にも、特に限定は無い。
微細加工を構成度に行うためには、粒子径が小さい方が有利であり、インクガイド２２として充分な成形性を得るためには、高誘電率材料の粒子径は１０μｍ以下であるのが好ましい。しかしながら、粒子径が小さくなるほど、通常はコストが高くなるので、高誘電率材料の粒子径は、成形性とコストとのバランスを考慮して、好ましくは１０μｍ以下で、適宜、決定すればよい。
【００４４】
図示例の吐出ヘッド１２において、インクガイド２２は、一例として、下方（基部側）の円筒部分と、その上（先端部）の円錐部分部とを有する形状であるが、本発明において、インクガイドは図示例の形状に限定はされず、各種の形状が利用可能である。
例えば、図示例における下方の円筒部分を有さない円錐状であってもよく、四角錐や六角錐などの角錐状の形状であってもよく、下方の角柱部と上方の角錐部とを有する形状でもよい。また、参考文献１に開示されるインクガイドのように、先端部などにインクを案内する切り欠き部や溝等を有するものであってもよい。
【００４５】
また、インクガイドは、以上のように先端部に向けて、漸次、細くなる形状に限定はされず、円柱状や角柱状等の太さが均一のものであってもよい。
しかしながら、インクガイドの先端部すなわちメニスカス先端部での電界集中を考慮すると、少なくとも上部は先端に向けて次第に細くなる形状とするのが好ましく、特に、円錐状や角錐状のように先端部分を先鋭な形状とするのが好ましい。また、インクガイドの先端部を細くすることにより、メニスカスを細くして吐出性を向上でき、かつ、インク液滴Ｒも微小にできるというメリットも有る。
【００４６】
本発明の吐出ヘッド１２においては、インクガイド２２は、図示例のように全体を前記複合材料で形成してもよく、あるいは先端部のみを複合材料で形成し、それ以外の部分を成形性に優れた樹脂材料で形成してもよい。
なお、先端部のみを複合材料とする場合には、少なくとも吐出電極３０よりもインク吐出方向側（すなわち記録媒体Ｐ側）の部分は、複合材料で形成するのが好ましい。このような構成とすることにより、全体を複合材料で形成しなくても、充分な電界集中力を得ることができる。
【００４７】
このようなインクガイド２２は、各種の方法で成形可能であるが、好適な一例として、図３に示される方法が例示される。
図３（Ａ）に示すように、インクガイド２２の形状および配列に応じた凹部３４を有する型３６と、樹脂材料に高誘電率材料の微粒子を分散してなる複合材料３８を準備する。型３６は、例えば、Ｓｉ基板を用い、異方性エッチングによってインクガイド２２の形状に応じた凹部３４を形成することで作製すればよい。
【００４８】
図３（ｂ）に示すように、型３６（凹部３４）に複合材料３８を充填し、必要に応じて複合材料に応じた温度で加熱硬化（キュア）を行い、複合材料３８の硬化後、図３（ｃ）に示すように、エッチング等によって、インクガイド２２以外の余分な複合材料３８を除去する。なお、複合材料の加熱硬化は、通常の樹脂材料と同様に２００℃程度でよく、セラミック材料に比して格段に低温で行うことができる。
次いで、図３（ｄ）に示すように支持基板２０を貼着して、図３（ｅ）に示すように、型３６をエッチング等によって除去することにより、インクガイド２２（インクガイド２２を上面に形成された支持基板２０）を形成する。
【００４９】
この製造方法によれば、インクガイド２２のみを複合材料で形成し、支持基板２０は低誘電率の材料を用いることができるので、高誘電率による配線部分の信号の時間遅れを避けることができる。
また、高解像度化や多チャンネル化、図示例のような二次元的な吐出部の配列も容易に行うことができる。
【００５０】
前述のように、吐出基板１９と支持基板２０との間に形成されるインク流路３２には、インク循環系１６によってインクが供給される。
インク循環系１６は、インクＱを貯留するインクタンクやインクＱを供給するポンプを有するインク供給手段５４と、インク供給手段５４とインク流路３２のインク流入口（インク流路３２の図１中の右側端部）とを接続するインク供給流路５６と、インク流路３２のインク流出口（同左側端部）とインク供給手段５４とを接続するインク回収流路５８とを有して構成される。また、これ以外にも、インクタンクへのインク補充手段等を有してもよい。
【００５１】
インクＱは、インク供給手段５４からインク供給流路５６を経て吐出ヘッド１２のインク流路３２に供給されて、インク流路３２を流れ（図中右から左に流れる）、インク流路３２からインク回収流路５８を経てインク供給手段５４に戻る経路で循環され、これによりインク流路２４から各ノズル２８に供給される。
なお、本発明の吐出ヘッド１２が吐出するインクＱとしては、色材を含む帯電粒子を分散媒にしてなるインクＱ等、帯電した微粒子を分散媒に分散してなる、静電式のインクジェットに利用される各種のインクＱ（溶液）が利用可能である。
【００５２】
前述のように、保持手段１４は、記録媒体Ｐを保持して吐出ヘッド１２のノズル列方向と直交方向（以下、走査方向とする）に走査搬送するものである。
図示例において、保持手段１４は、吐出ヘッド１２（吐出基板１９）の上面に対面した状態で記録媒体Ｐを保持するプラテンとしても作用する対向電極７０と、対向バイアス電源７２と、対向電極７０を走査方向に移動することにより、記録媒体Ｐを走査方向に走査搬送する走査搬送手段（図示省略）とを有して構成される。この走査搬送により、記録媒体Ｐは、吐出ヘッド１２の吐出口２４（ノズル列）によって、全面を二次元的に走査され、各吐出口２４から変調して吐出されたインク液滴Ｒによって画像を記録される。
【００５３】
対向電極７０による記録媒体Ｐの保持手段には、特に限定はなく、静電気を利用する方法、治具を用いる方法、吸引による方法等、公知の方法によればよい。
また、対向電極７０の移動方法にも、特に限定はなく、公知の板状部材の移動方法を利用すれば良い。なお、本発明の吐出ヘッド１２を利用する記録装置においては、記録媒体Ｐを固定して、吐出ヘッド１２を移動（走査）することにより、ノズル列で記録媒体Ｐを走査するようにしてもよい。
対向バイアス電源７２は、吐出電極３０（＝色材粒子）と逆極性のバイアス電圧を対向電極７０に印加するものである。なお、バイアス電源７２の他極側は、接地されている。
【００５４】
以下、記録装置１０における画像記録の作用について説明する。
画像記録時には、インク循環系１６によって、インク供給手段５４〜インク供給流路５６〜吐出ヘッド１２のインク流路３２〜インク回収流路５８〜インク供給手段５４の経路でインクＱが循環される。この循環により、インク流路３２にインクＱが流れ（例えば、２００ｍｍ／ｓのインク流）、これにより各吐出口２４にインクが供給される。
また、画像記録時には、バイアス電源５２が吐出電極３０に１００Ｖのバイアス電圧を印加している。さらに、記録媒体Ｐは対向電極７０に保持され、対向電極７０には、対向バイアス電源７２が−１０００Ｖのバイアス電圧を印加している。従って、吐出電極３０と対向電極７０（記録媒体Ｐ）との間には、１１００Ｖ分のバイアス電圧が印加され、その分の電界（静電力）が形成されている。
【００５５】
このインクＱの循環、バイアス電圧による静電力、インクＱの表面張力、毛管現象、インクガイド２２の作用などにより、吐出口２４にはインクＱのメニスカスが形成され、また、色材粒子（本例では正に帯電）が吐出口２４（メニスカス）に泳動してインクＱが濃縮され、この濃縮の作用によってメニスカスがさらに成長し、インクＱの表面張力と静電力等とのバランスが取れることによってメニスカスが安定した状態となっている。
【００５６】
この状態において、駆動電源５０が吐出電極３０に例えば２００Ｖの駆動電圧を印加すると、インクＱおよびメニスカスに作用する静電力が大きくなり、かつ、メニスカスでのインクＱの濃縮が促進されて、メニスカスが急激に成長し、メニスカスの成長力、色材粒子のメニスカスへの移動力、および対向電極７０からの吸引力が、インクＱの表面張力を超えた時点で、色材粒子が濃縮されたインクＱのインク液滴Ｒが吐出される。
吐出されたインク液滴Ｒは、吐出された際の勢い、および、対向電極７０による引力によって飛翔し、記録媒体Ｐに着弾して画像を形成する。
【００５７】
前述のように、画像記録時には、記録媒体Ｐは吐出ヘッド１２と対面した状態で、ノズル列と直交する走査方向に走査搬送されている。
従って、この走査搬送に同期して、画像データ（インク液滴Ｒの吐出信号）に応じて変調して各吐出電極３０に駆動電圧を印加（吐出電極３０を駆動）することにより、記録する画像に応じて変調してインク液滴Ｒを吐出して、記録媒体Ｐの全面にオンデマンドで画像記録を行うことができる。
【００５８】
ここで、本発明の吐出ヘッド１２は、樹脂材料に高誘電率材料の微粒子を分散してなる複合材料製のインクガイド２２を有するので、高い成形精度による良好なメニスカス安定性を有し、かつ、インクガイドの高い電界集中力によってメニスカスに良好に静電力を作用させることができるので、低い駆動電圧（あるいはさらにバイアス電圧）でも、高速かつ安定したインク液滴Ｒの吐出を行うことができ、従って、低い電力消費で安定して高画質な画像記録を行うことができる。
【００５９】
以上、本発明の液体吐出ヘッド、および、溶液ガイドの製造方法について詳細に説明したが、本発明は上記実施例に限定はされず、本発明の主旨を逸脱しない範囲において、種々の変更や改良をしてもよいのはもちろんである。
【図面の簡単な説明】
【００６０】
【図１】本発明の液体吐出ヘッドの一例を利用するインクジェット記録装置の一例の概念図である。
【図２】図１に示す液体吐出ヘッドの概略斜視図である。
【図３】（Ａ）〜（Ｅ）は、本発明の溶液ガイドの製造方法の一例を説明するための概念図である。
【図４】従来の液体吐出ヘッドの一例を説明するための概念図である。
【符号の説明】
【００６１】
１０  （インクジェット）記録装置
１２，２００  吐出ヘッド
１４  保持手段
１６  インク循環系
１８  電圧印加手段
１９，２０６  吐出基板
２０，２０２  支持基板
２２，２０４  インクガイド
２４，２１８  吐出口
２６  ガード電極
２８  立体障壁
３０，２０８  吐出電極
３２，２１６  インク流路
３４  凹部
３６  型
３８  複合材料
５０，２１４  駆動電源
５２，２１２  バイアス電源
５４  インク循環手段
５６  インク供給流路
５８  インク回収流路
７０，２１０  対向電極
７２  対向バイアス電源
【図１】
2006001118.tif 000003
【図２】
2006001118.tif 000004
【図３】
2006001118.tif 000005
【図４】
2006001118.tif 000006